【手続補正書】
【提出日】平成23年2月10日(2011.2.10)
【手続補正１】
【補正対象書類名】特許請求の範囲
【補正対象項目名】全文
【補正方法】変更
【補正の内容】
【特許請求の範囲】
【請求項１】
アナログ／デジタル変換器（１００、１０２０）の入力信号レベルを調節する方法であって、
前記アナログ／デジタル変換器（１００、１０２０）への入力信号レベルを示す制御信号（ＳAGC,control）を生成する工程であって、前記制御信号（ＳAGC,control）が前記アナログ／デジタル変換器（１００、１０２０）が動作範囲の上限近く又はその上で動作しているか否かを示す信号として生成される、前記工程と、
前記制御信号（ＳAGC,control）に基づいて、前記アナログ／デジタル変換器（１００、１０２０）への前記入力信号レベルを調節する工程とを有し、
前記アナログ／デジタル変換器（１００、１０２０）はシグマ−デルタ変換器であって、前記制御信号（ＳAGC,control）が前記シグマ−デルタ変換器（１００、１０２０）が安定的な動作範囲の上限近く又はその上で動作しているか否かを示す信号として生成され、
前記制御信号を生成する工程は、更に前記シグマ−デルタ変換器（１００、１０２０）からの出力信号内の連続する同等のサンプルを数える工程を備えることを特徴とする方法。
【請求項２】
前記制御信号を生成する工程は、
所与の測定間隔中に、前記シグマ−デルタ変換器（１００、１０２０）からの前記出力信号内の連続する同等のサンプルの最大数（ＭＨＬ）を検出する工程と、
前記シグマ−デルタ変換器（１００、１０２０）への前記入力信号レベルを示す前記制御信号（ＳAGC,control）として、連続する同等のサンプルの前記検出された最大数（ＭＨＬ）を提供する工程とを更に備えることを特徴とする請求項１に記載の方法。
【請求項３】
前記制御信号を生成する工程は、
所与の測定間隔中に、前記シグマ−デルタ変換器（１００、１０２０）からの前記出力信号内の特定数（ＨＬd）の連続する同等のサンプルがカウントされる回数（ＨＬＣ）を検出する工程と、
前記シグマ−デルタ変換器（１００、１０２０）への前記入力信号レベルを示す前記制御信号（ＳAGC,control）として、前記検出された回数（ＨＬＣ）を提供する工程とを更に備えることを特徴とする請求項１に記載の方法。
【請求項４】
前記シグマ−デルタ変換器（１００、１０２０）への前記入力信号レベルを調節する工程は、
前記制御信号（ＳAGC,control）を基準値（ＭＨＬ0、ＨＬＣ0）と比較する工程と、
前記シグマ−デルタ変換器（１００、１０２０）の前段に配置された可変利得増幅器（１０１０）の利得を、所定の利得変更（ΔＧ）だけ調節する工程であって、前記制御信号が前記基準値を超える場合に前記利得を前記所定の利得変更（ΔＧ）だけ減少させ、そうでない場合は前記所定の利得変更（ΔＧ）だけ増加させる工程とを備えることを特徴とする請求項１乃至３のいずれか１項に記載の方法。
【請求項５】
前記シグマ−デルタ変換器（１００、１０２０）への前記入力信号レベルを調節する工程は、
前記制御信号（ＳAGC,control）から、前記シグマ−デルタ変換器（１００、１０２０）への対応する入力信号レベル（Ｐin,m）を計算する工程と、
前記計算された対応する入力信号レベル（Ｐin,m）と所定の基準入力信号レベル（Ｐin,0）との間の差として利得変更（ΔＧ）を計算する工程と、
前記シグマ−デルタ変換器（１００、１０２０）の前段に配置された可変利得増幅器（１０１０）の利得を、前記計算した利得変更（ΔＧ）だけ調節する工程とを備えることを特徴とする請求項１乃至３のいずれか１項に記載の方法。
【請求項６】
前記シグマ−デルタ変換器（１００、１０２０）は１ビットのシグマ−デルタ変換器であることを特徴とする請求項１乃至５のいずれか１項に記載の方法。
【請求項７】
アナログ／デジタル変換を実行する装置であって、
アナログ／デジタル変換器（１００、１０２０）と、
前記アナログ／デジタル変換器（１００、１０２０）への入力信号レベルを示す制御信号（ＳAGC,control）を生成する手段（２７０、３７０、４７０、１０３０）であって、前記制御信号（ＳAGC,control）が前記アナログ／デジタル変換器（１００、１０２０）が動作範囲の上限近く又はその上で動作しているか否かを示す、前記手段と、
前記制御信号（ＳAGC,control）に基づいて、前記アナログ／デジタル変換器（１００、１０２０）への入力信号レベルを調節する手段（１００５、１０１０）とを備え、
前記アナログ／デジタル変換器（１００、１０２０）はシグマ−デルタ変換器であって、前記装置は、前記シグマ−デルタ変換器（１００、１０２０）が、安定的な動作範囲の上限近く又はその上で動作しているか否かを示す信号として前記制御信号（ＳAGC,control）を生成するように構成され、
前記制御信号を生成する手段は、前記シグマ−デルタ変換器（１００、１０２０）からの出力信号内の連続する同等のサンプルを数える手段（３４０、４４０）を更に備えることを特徴とする装置。
【請求項８】
前記制御信号を生成する手段は、所与の測定間隔中に、前記シグマ−デルタ変換器（１００、１０２０）からの出力信号内の連続する同等のサンプルの最大数（ＭＨＬ）を検出し、前記シグマ−デルタ変換器（１００、１０２０）への前記入力信号レベルを示す前記制御信号（ＳAGC,control）として、連続する同等のサンプルの前記検出された最大数（ＭＨＬ）を提供する手段（３５０、３６０）を更に備えることを特徴とする請求項７に記載の装置。
【請求項９】
前記制御信号を生成する手段は、所与の測定間隔中に、前記シグマ−デルタ変換器（１００、１０２０）からの前記出力信号内の特定数（ＨＬd）の連続する同等のサンプルがカウントされる回数（ＨＬＣ）を検出し、前記シグマ−デルタ変換器（１００、１０２０）への前記入力信号レベルを示す前記制御信号（ＳAGC,control）として、前記検出された回数（ＨＬＣ）を提供する手段（４４１、４４２）を更に備えることを特徴とする請求項７に記載の装置。
【請求項１０】
前記シグマ−デルタ変換器（１００、１０２０）への入力信号レベルを調節する手段（１００５、１０１０）は、
前記制御信号（ＳAGC,control）を基準値（ＭＨＬ0、ＨＬＣ0）と比較し、
前記シグマ−デルタ変換器（１００、１０２０）の前段に配置された可変利得増幅器（１０１０）の利得を所定の利得変更（ΔＧ）だけ調節して、前記制御信号が前記基準値を超える場合に前記利得を前記所定の利得変更（ΔＧ）だけ減少させ、そうでない場合に前記所定の利得変更（ΔＧ）だけ増加させるよう構成されることを特徴とする請求項７乃至９のいずれか１項に記載の装置。
【請求項１１】
前記シグマ−デルタ変換器（１００、１０２０）への入力信号レベルを調節する手段（１００５、１０１０）は、
前記制御信号（ＳAGC,control）から、前記シグマ−デルタ変換器（１００、１０２０）への対応する入力信号レベル（Ｐin,m）を計算し、
前記計算された対応する入力信号レベル（Ｐin,m）と所定の基準入力信号レベル（Ｐin,0）との間の差として利得変更（ΔＧ）を計算し、
前記シグマ−デルタ変換器（１００、１０２０）の前段に配置された可変利得増幅器（１０１０）の利得を、前記計算した利得変更（ΔＧ）だけ調節するよう構成されることを特徴とする請求項７乃至９のいずれか１項に記載の装置。
【請求項１２】
前記シグマ−デルタ変換器（１００、１０２０）は１ビットのシグマ−デルタ変換器であることを特徴とする請求項７乃至１１のいずれか１項に記載の装置。
【請求項１３】
請求項７乃至１２のいずれか１項に記載のアナログ／デジタル変換を実行する装置を備えることを特徴とする無線通信装置。
【請求項１４】
アナログ／デジタル変換器（１００、１０２０）への入力信号レベルを示す制御信号（ＳAGC,control）を生成する装置（２７０、３７０、４７０、１０３０）で、前記アナログ／デジタル変換器（１００、１０２０）が動作範囲の上限近く又はその上で動作しているか否かを示す信号として前記制御信号（ＳAGC,control）を生成するよう構成された処理手段（２４０、２４２、２５０；３４０、３５０、３６０；４４０、４４１、４４２）を備え、前記アナログ／デジタル変換器（１００、１０２０）への前記入力信号レベルを調節する手段（１００５、１０１０）に前記制御信号（ＳAGC,control）を提供するよう構成される装置であって、
シグマ−デルタ変換器（１００、１０２０）からの信号（Ｓ）を受信して、前記シグマ−デルタ変換器（１００、１０２０）が安定的な動作範囲の上限近く又はその上で動作しているか否かを示す信号として、前記制御信号（ＳAGC,control）を生成するよう構成され、
前記シグマ−デルタ変換器（１００、１０２０）からの出力信号内の連続する同等のサンプルを数える手段（３４０、４４０）を更に備えることを特徴とする装置。
【請求項１５】
所与の測定間隔中に、前記シグマ−デルタ変換器（１００、１０２０）からの前記出力信号内の連続する同等のサンプルの最大数（ＭＨＬ）を検出して、前記シグマ−デルタ変換器（１００、１０２０）への前記入力信号レベルを示す前記制御信号（ＳAGC,control）として、連続する同等のサンプルの前記検出された最大数（ＭＨＬ）を提供する手段（３５０、３６０）を更に備えることを特徴とする請求項１４に記載の装置。
【請求項１６】
所与の測定間隔中に、前記シグマ−デルタ変換器（１００、１０２０）からの前記出力信号内の特定数（ＨＬd）の連続する同等のサンプルがカウントされる回数（ＨＬＣ）を検出し、前記シグマ−デルタ変換器（１００、１０２０）への前記入力信号レベルを示す前記制御信号（ＳAGC,control）として、前記検出された回数（ＨＬＣ）を提供する手段（４４１、４４２）を更に備えることを特徴とする請求項１４に記載の装置。
【請求項１７】
請求項１乃至６のいずれか１項に記載の各工程をコンピュータに実行されるためのプログラムコード手段を備えるコンピュータプログラム。
【請求項１８】
請求項１乃至６のいずれか１項に記載の方法をコンピュータで実現するためのプログラムコード手段を記憶したコンピュータ読み取り可能な記憶媒体。